(57)【特許請求の範囲】
【請求項１】
少なくとも、身体に対する接触側の底面部を有する容器部分と、スピーカが装着されて上記容器部分との間に音響発生空間を画成する画成板とから容器本体を構成するとともに、上記スピーカから発せられる音響に基づいて上記容器部分の底面部に振動を生じさせるように構成した音響体感器において、
上記容器本体の表面側に、所定の補助空間を介在させて二重構造としたカバー部材を覆設したことを特徴とする、音響体感器。
【請求項２】
上記二重構造のカバー部材のうちの少なくとも表面側のカバー部材は、薄肉状の弾性部材で構成されている、請求項１に記載の音響体感器。
【請求項３】
上記スピーカに対して音響信号を送出する音響発生手段を備えるとともに、上記音響発生手段からスピーカに至る信号伝送経路の途中に、少なくとも高周波領域の音響信号をカットする低域通過フィルタまたは帯域通過フィルタを介設したことを特徴とする、請求項１または２に記載の音響体感器。
【請求項４】
上記音響発生手段は、ゲーム機本体のゲーム進行状態制御手段からの信号に基づいて得られた音響を、ゲーム機本体用の音響出力手段に送出し、かつ、その音響を上記信号伝送経路に音響信号として送出するものである、請求項３に記載の音響体感器。
【発明の詳細な説明】
【０００１】
【産業上の利用分野】
本願発明は、業務用ゲーム機や家庭用ゲーム機、あるいはその他の各種音響機器から出力される電気的な音響信号を機械的な振動に変換して利用者の身体に伝達させるようにした音響体感器に関し、特に、音響体感器の外部に対する防音や内部に対する音響整理などの音響対策技術に関する。
【０００２】
【従来の技術】
一般に、この種の音響体感器の基本的構成は、容器本体の内部空間を二室に仕切る隔壁板を備えるとともに、この隔壁板に形成した開口部にスピーカを装着するものである。そして、上記スピーカから音響が発せられることに起因して、上記容器本体の内部空間にその音圧等に基づく空気振動が生じ、この振動が容器本体の外壁を通じて利用者の身体に伝達される構造となっている。
【０００３】
その具体例として、特開平５−３１６５８２号公報によれば、スピーカが取り付けられた隔壁により密閉容器の内部を二つの気密室に仕切るようにした基本構成において、振動を吸収するゴムやポリウレタン等でなる緩衝材を介して、上記隔壁の外縁部を上記密閉容器内に取り付けた付加的構成が開示されている。このような構成によれば、上記隔壁に振動板としての機能が備えられて、この隔壁がスピーカのコーン紙と一体的に振動するようになるとともに、上記緩衝材による適度な振動吸収作用により、不快な反響音などが生じなくなる。
【０００４】
また、この音響体感器によれば、上記隔壁の一箇所に透孔が穿設されており、上記スピーカからの音圧に起因して一方の気密室に生じた空気振動が、この透孔を通じて他方の気密室に伝播されることになるので、一旦生じた空気振動が即座に減衰されることなく、容器本体の内部空間全体に好適な空気振動が生じる。加えて、空気振動が上記透孔を通過する際に生じる音の絞り込み効果により音圧がさらに高められ、密閉容器の外壁全体に生じる振動が大きくなることなどが、同公報に示唆されている。
【０００５】
【発明が解決しようとする課題】
ところで、上記公報に開示された音響体感器によれば、容器本体の表面側部位すなわち身体に接触する側と反対側の表面壁部が一重であるため、スピーカから発せられた音響が上記表面壁部から外部に漏出するという不具合を招く。このような事態は、不快な騒音の発生原因になり、周辺の環境を悪化させる要因にもなる。
【０００６】
一方、上記の音響体感器が業務用ゲーム機や家庭用ゲーム機に接続されて使用される場合には、そのゲーム機本体のゲーム進行状態制御手段からの信号に基づいて得られた音響を、何らの処理も行うことなく音響体感器内のスピーカに駆動信号として送出するように構成されているのが通例である。このようなスピーカ駆動信号の伝送態様によれば、低周波から高周波に至る全ての周波数領域の信号がスピーカに送出されてしまうことになる。
【０００７】
この結果、たとえば高周波数領域の音響は、上記音響体感器内においては不快音となるのみであって体感上好ましい振動を発生させるものではないが、この種の不要な音響が本来的に必要な音響に混じってスピーカから発せられることにより、利用者が不快感を覚える原因になる。また、これによっても、騒音発生や環境阻害を引き起こす原因になる。
【０００８】
本願発明は、上述の事情のもとで考え出されたものであって、音響体感器の容器本体の外部に対する防音を確実に行うとともに、利用者にとって体感上好ましい振動のみが得られるように音響信号の処理を行い、騒音の発生を未然に防止することをその課題とする。
【０００９】
【課題を解決するための手段】
上記の課題を解決するため、本願発明では、次の技術的手段を講じている。
【００１０】
すなわち、本願の請求項１に記載した発明は、少なくとも、身体に対する接触側の底面部を有する容器部分と、スピーカが装着されて上記容器部分との間に音響発生空間を画成する画成板とから容器本体を構成するとともに、上記スピーカから発せられる音響に基づいて上記容器部分の底面部に振動を生じさせるように構成した音響体感器において、
上記容器本体の表面側に、所定の補助空間を介在させて二重構造としたカバー部材を覆設したことを特徴としている。
【００１１】
この場合、上記二重構造のカバー部材のうちの少なくとも表面側のカバー部材は、薄肉状の弾性部材で構成されていることが好ましい（請求項２）。
【００１２】
一方、本願の請求項３に記載した発明は、上記請求項１または２に記載した発明に係る音響体感器において、
上記スピーカに対して音響信号を送出する音響発生手段を備えるとともに、上記音響発生手段からスピーカに至る信号伝送経路の途中に、少なくとも高周波領域の音響信号をカットする低域通過フィルタまたは帯域通過フィルタを介設したことを特徴としている。
【００１３】
この場合、上記音響発生手段は、ゲーム機本体のゲーム進行状態制御手段からの信号に基づいて得られた音響を、ゲーム機本体用の音響出力手段に送出し、かつ、その音響を上記信号伝送経路に音響信号として送出するものであることが好ましい（請求項４）。
【００１４】
【発明の作用および効果】
上記請求項１に記載した発明に係る音響体感器によれば、スピーカから音響が発せられて容器本体の音響発生空間に空気振動が生じた場合には、この空気振動が原因となって容器部分の底面部に振動が伝達される。この場合、上記スピーカから発せられた音響は、容器本体の表面側の壁部（画成板）を通過して外部に放音されようとするが、この容器本体の表面側は、二重構造のカバー部材により覆われているので、上記音響の外部への漏出が確実に防止される。
【００１５】
詳しくは、上記容器本体の底面部は身体に接触するものであるため、この底面部からの放音は身体により阻止されるのに対して、上記表面側からの放音は、上記カバー部材自体が備えている防音作用と、上記補助空間内の空気による音響吸収作用との相乗作用によって阻止される。
【００１６】
そして、上記請求項２に記載した発明のように、少なくとも表面側のカバー部材を薄肉状の弾性部材で構成すれば、このカバー部材自体が容易に弾性変形することに伴って、上記音響が適切に吸収され、外部への微妙な放音すらも生じなくなる。
【００１７】
一方、上記請求項３に記載した発明によれば、音響発生手段から信号伝送経路を介してスピーカに送出される音響信号が、低域通過フィルタまたは帯域通過フィルタにより、少なくとも高周波成分がカットされる。したがって、上記スピーカに対しては所望の周波数領域、特に低周波領域の音響信号のみが送出されることになる。そして、低周波領域のみの音響により発生する空気振動は、必然的に低周波成分のみの振動となり、この低周波振動が容器本体の底面部から身体に伝達される。
【００１８】
なお、上記低周波領域の中でも、特に身体に対して体感上好ましい領域を選択するには、極低周波領域をもカットすることが可能な帯域通過フィルタを使用すればよい。
【００１９】
そして、実際の使用態様として、ゲーム機に対して上記音響体感器を接続する場合には、上記請求項４に記載した発明のような構成を採用することが好ましい。すなわち、ゲーム機本体には、本来、ゲーム進行状態制御手段からの信号に基づいて得られた音響を、ゲーム機本体用の音響出力手段に送出する役目を担う音響発生手段が備えられている。そこで、この音響発生手段から発せられた音響信号を取り出し、上記低域通過または帯域通過フィルタを介して上記スピーカに送出するのである。
【００２０】
このようにすれば、利用者はゲームの進行中にゲーム機本体から出力される画像や音響を視覚および聴覚により楽しみながら、その音響の中の低周波領域の音響に基づく振動を身体に受け、その体感上の心地良さをも楽しむことができるようになる。
【００２１】
【実施例の説明】
以下、本願発明の好ましい実施例を、図面を参照しつつ具体的に説明する。
【００２２】
図１は本願発明に係る音響体感器１を制御するための制御システム図、図２は上記音響体感器１の外観を示す斜視図、図３はその分解配列斜視図、図４および図５はその縦断面図である。
【００２３】
まず、図２ないし図５を参照して、上記音響体感器１は、二つの半割りケース２，３を合体させて両者間に内部空間を形成する容器本体４と、この容器本体４の内部空間を二分するように仕切る画成板５と、この画成板５に装着されたスピーカ６とを備えている。そして、図２に示すように、上記音響体感器１の両側の側縁部には、利用者の肩に巻き掛けられる肩ベルト１５，１５の一端部と、わき腹の周辺に巻き掛けられるわき腹ベルト１６，１６の一端部とが連結されている。また、上記容器本体４の表面側部分には、その部分の壁部を二重構造として防音効果を得るための表側カバー部材７ａが取り付けられているとともに、上記容器本体４の裏面側部分には、身体表面に直接的に接触する裏側カバー部材７ｂが取り付けられている。
【００２４】
上記容器本体４は、上記裏側の半割りケース３と上記画成板５との二つの部材で構成することも可能であり、したがって、上記表側の半割りケース２は表側カバー部材としての役目を果たすことになる。すなわち、上記裏側の半割りケース３と上記画成板５との間に音響発生空間１１が画成される構造であればよく、上記表側の半割りケース２（表側カバー部材）と上記画成板５との間の気密性は、完全でなくてもよい。
【００２５】
上記表側に二重に配設されたカバー部材２，７ａのうちの表側のカバー部材７ａは、ゴム等の弾性材料で薄肉状に形成されており、このカバー部材７ａを上記容器本体４の表面側に固定することにより、二重のカバー部材２，７ａの相互間に補助空間１３が画成された状態となっている（図４、５参照）。なお、表側のカバー部材７ａの容器本体４への取り付け構造は、たとえばこのカバー部材７ａの外周縁部に形成した係合爪等の係合部と、容器本体４の外周縁部に形成した係合凹部等の被係合部とを、係脱可能な構造としてもよい。また、このカバー部材７ａを容器本体４にビスやリベットあるいは接着剤等を用いて固定するようにしてもよい。その場合に、上記補助空間１３は、完全に閉鎖された空間であることが好ましいが、その気密性については必ずしも完全である必要はない。
【００２６】
一方、この音響体感器１と、業務用や家庭用のゲーム機とは、以下に示すような信号伝送経路を介して接続される。
【００２７】
すなわち、図１に示すように、業務用や家庭用のゲーム機２０は、たとえばレバー２１および押しボタンスイッチ２２からなる入力手段２３と、各種ゲーム情報を記憶している記憶手段２４と、上記入力手段２３および記憶手段２４からの信号に基づいてゲームの進行状態を決定および制御するゲーム進行状態制御手段２５と、このゲーム進行状態制御手段２５からの信号に基づいて得られた画像信号ａおよび音響信号ｂを受けて利用者に対する画像出力および音響出力をそれぞれ行う画像出力手段２６および音響出力手段２７と、を備えている。
【００２８】
さらに詳しくは、上記ゲーム進行状態制御手段２５からの信号に基づいて画像作成手段２８が上記画像信号ａを送出するとともに、同じく上記ゲーム進行状態制御手段２５からの信号に基づいて音響発生手段２９が上記音響信号ｂを送出するようになっている。
【００２９】
そして、上記ゲーム進行状態制御手段２５からの音響信号ｂが、低域通過フィルタまたは帯域通過フィルタでなるフィルタＦを経て、駆動信号ｂ１として上記スピーカ６に入力される構成とされている。なお、この信号伝送経路には、所定の信号増幅を行うための増幅器等が介設される。
【００３０】
上記低域通過フィルタは、上記ゲーム進行状態制御手段２５からの音響信号ｂの中から、高周波成分を除去するものであり、たとえば１２０〜１６０Ｈｚ程度以下の周波数信号のみを駆動信号ｂ１として上記スピーカ６に入力させるものである。なお、たとえば１００Ｈｚ〜１６０Ｈｚの所定範囲内にある振動を生じさせたい場合は、この範囲内の周波数信号のみを駆動信号ｂ１として取り出すための帯域通過フィルタを用いるようにしてもよい。
【００３１】
また、この実施例では、容器本体４の内部に十分な振動を生じさせ、かつその振動を身体に適切に伝達させるために、以下に示すような構成が採用されている。
【００３２】
すなわち、図２ないし図５に示す上記二つの半割りケース２，３の材質は、表側の半割りケース２が硬質または半硬質の特性を備えているのに対して、裏側の半割りケース３が軟質の特性を備えている。具体的には、たとえば上記表側の半割りケース２は、ポリプロピレンやポリエチレンなどの材料により相対的に厚肉に形成されており、裏側の半割りケース３はポリプロピレンやポリエチレンなどの材料により相対的に薄肉に形成される。この場合、上記裏側の半割りケース３の底面部３ｘは、利用者の身体に接触する部位であるので、上記湾曲状に形成したことに加えて、この部位については薄肉にして僅かながらも撓み変形が生じるように形成することが好ましい。
【００３３】
一方、上記画成板５の材質は、硬質または半硬質の特性を備えている一般樹脂、具体的には、たとえば、ポリプロピレン、ポリエチレン、ポリスチレン、ＡＢＳ樹脂、ポリカーボネート、ＰＷＡ、ＦＲＰ、ＭＭＡ、エバー樹脂、ゴム樹脂などが使用される。そして、上記画成板５の略中央部には、円形の開口部８が形成されており、この開口部８の周縁部に、スピーカ６の拡開端部周縁がビスやリベットあるいは接着剤等を用いて固定される。この場合、図４および図５に示すように、上記スピーカ６の拡開部側は、上記裏側の半割りケース３の底面部３ｘを指向している。したがって、実際の使用時には、上記スピーカ６の拡開部側が、利用者の身体側を指向することになる。
【００３４】
また、上記画成板５における開口部８の外周側部位には、開口部８と同心円である複数の円環状凹凸９ａからなる波形状を呈する波板状部９が形成されている。そして、上記スピーカ６は、この波板状部９によって弾性支持された状態にあり、スピーカ６の振動に連動してこの波板状部９が撓み振動することになる。また、上記画成板５における波板状部９の非形成箇所には、この画成板５により仕切られた背後空間１０と音圧発生空間１１との相互間で空気振動を流通可能とするための透孔１２が穿設されている。なお、必要ならば、この透孔１２に代えて、たとえばスリットを形成するようにしてもよい。
【００３５】
しかしながら、上記画成板５の材質によっては、波板状部９や透孔１２を穿設しなくても、十分な振動を確保できることが実験により判明している。したがって、上記波板状部９や透孔１２は、上記画成板５の材質に応じて適宜設けるようにすることが好ましい。
【００３６】
また、図３に示すように、上記二つの半割りケース２，３の外周縁部には、比較的高い剛性を有するフランジ部２ａ，３ａがそれぞれ一体形成されており、この両フランジ部２ａ，３ａ間に上記画成板５の外周縁部を挟持させた状態で、両フランジ部２ａ，３ａ間がビスやリベットあるいは接着剤等を用いて固定されるようになっている。そして、上記二つの半割りケース２，３の各フランジ部２ａ，３ａには、それぞれ四箇所に外方に突出する膨出部２ｂ，３ｂが一体的に形成されており、この各膨出部２ｂ，３ｂに穿設されたベルト装着孔２ｃ，３ｃに上記各肩ベルト１５およびわき腹ベルト１６が挿通固定されるようになっている（図５参照）。
【００３７】
この場合、図６に示すように、上記表側のカバー部材７ａと裏側のカバー部材７ｂとを一体化させることにより保持ケース７を形成し、その内部に上記容器本体４を収納するようにしてもよい。このような構造にした場合には、同図にも示すように、上記保持ケース７の両側に、上記各肩ベルト１５およびわき腹ベルト１６が連結あるいは一体化される。そして、上記保持ケース７の一部分（たとえば裏面）にファスナー等で開閉可能な開口部を形成しておけば、保持ケース７の内部に対する容器本体４の収納および取り出しが容易に行えることになり、保守点検作業等が簡易になる。
【００３８】
また、上記保持ケース７の材質としては、ゴムや樹脂等の比較的軟質な特性を備えたものが使用される。そして、この保持ケース７は、身体への装着時に上記各ベルト１５，１６による引っ張り力が作用することにより、その内部空間が偏平状になるように撓み変形し、これによりその内部に収納されてる容器本体４がガタツキなく保持されることになる。また、この保持ケース７の内部に上記容器本体４を収納することにより、表側半割りケース２と保持ケース７の表面壁（カバー部材７ａ）との間に補助空間１３が介在される。なお、この補助空間１３は、上記引っ張り力により保持ケース７が偏平状に撓み変形しても、その表側のカバー部材７ａの内方への突出部７ｓの存在により常に確保される。この補助空間１３の存在により、容器本体４からの微妙な音の漏出が防止されるようになっている。また、この保持ケース７の内部に収納される容器本体としては、既述のように裏側の半割りケース３と画成板５とから構成されるものであってもよい。
【００３９】
一方、図２および図５に示すように、上記各肩ベルト１５および各わき腹ベルト１６は、容器本体４への連結部周辺が、ゴム等の伸縮性を有する弾性伸縮帯状体１５ａ，１６ａで構成されているのに対して、その他の部分は、布や革あるいは樹脂等の非伸縮性材料でなる非伸縮帯状体１５ｂ，１６ｂで構成されている。そして、上記弾性伸縮帯状体１５ａ，１６ａには、通気性を確保するための多数の貫通孔１５ｘ，１６ｘが穿設されている。なお、上記各ベルト１５，１６を全長にわたって非伸縮帯状体で構成することも可能である。
【００４０】
この場合、図８に示すように、上記各わき腹ベルト１６の非伸縮帯状体１６ｂの他端部は、利用者の腹部の中央部で金具１６ｗにより相互に連結されており、これにより腹部周辺を締め付けるようになっている。また、上記各肩ベルト１５の非伸縮帯状体１５ｂの他端部は、利用者の肩に巻き掛けられて腹部まで垂下した状態で上記わき腹ベルト１６の所定寸法離間した位置にそれぞれ金具１５ｗを介して連結されている。
【００４１】
次に、上記実施例の作用を説明する。
【００４２】
図７および図８に示すように、利用者の身体への装着に際しては、肩ベルト１５とわき腹ベルト１６とを使用して上記音響体感器１を利用者の背中に確実に接触させた状態に保持する。この場合、音響体感器１の裏側半割りケース３の底面部３ｘの全域が、均一に背中に接触した状態になる。
【００４３】
このような状態で、利用者が図１に示すゲーム機２０の入力手段２３を適宜操作することにより、時々刻々と変化する画像信号ａおよび音響信号ｂが画像出力手段２６および音響出力手段２７にそれぞれ送出されて、ゲームが進行していく。
【００４４】
このようにしてゲームが進行している間においては、上記ゲーム進行状態制御手段２５からの信号に基づいて音響発生手段２９から上記音響信号ｂが送出されているが、この音響信号ｂは低域通過フィルタ（または帯域通過フィルタ）Ｆを経て駆動信号ｂ１としてスピーカ６に入力される。したがって、上記スピーカ６に対しては上記所定の低周波領域の駆動信号ｂ１が入力されることになる。
【００４５】
これにより、上記スピーカ６から低周波の音圧が発せられるともに、この音圧は圧力波となり、まず音響発生空間１１に空気振動を生じさせる。そして、この空気振動は、画成板５の透孔１２（またはスリット等）を通過して背後空間１０に伝播され、結果的には容器本体４の内部空間全体に空気振動が生じる。
【００４６】
これと相まって、スピーカ６のコーン紙が振動することに起因して、スピーカ６自体も画成板５の波板状部９を撓み変形させながら振動する。これにより、スピーカ６の口径が小さくとも、あたかも、スピーカ６の口径が拡大したのと同様の音圧発生効果を奏することになり、十分なレベルの音圧を発生させることが可能になる。したがって、この音響体感器１に内蔵されているスピーカ６が、その設置スペース上の関係から小口径であるにも拘らず、十分な重低音を発生させることができる。
【００４７】
また、上記画成板５の波板状部９の振動は、裏側の半割りケース３の底面部３ｘに直接的に伝播されることにもなるので、利用者の背中に対しては、この波板状部９からの直接的な伝播に伴う振動と、上記音圧による空気振動との総和が伝達されることになる。そして、これらの振動は、上記所定の低周波領域の音響信号に起因する振動であるため、利用者に対しては心地良い振動が付与される。
【００４８】
一方、このような振動を生じさせるために上記スピーカ６から継続して音響が発せられても、容器本体４の裏側の半割りケース３の底面部３ｘは利用者の背中に接触しているので、この裏側から外部に対する音響の放音は利用者の背中によって阻止される。
【００４９】
これに対して、表側の半割りケース２の表面側は、補助空間１３を介在させて二重構造のカバー部材２，７ａにより覆われているので、この表面側からの外部への音響の漏出も阻止される。詳しくは、表面側のカバー部材７ａがゴム等により薄肉状に形成されているので、このカバー部材７ａ自体が適宜撓み変形することにより、および補助空間１３内の空気の作用により、音響ないし振動が確実に吸収され、微妙な音の漏出をも阻止できることになる。
【００５０】
また、この実施例では、スピーカ６の拡開端部側が裏側半割りケース３の底面部３ｘを指向しており、スピーカ６からの音圧は上記底面部３ｘに向かって発せられるので、その反対側である表面側に対しては、音圧による影響を直接的に受け難くなっている。これに加えて、表側のカバー部材である半割りケース２は硬質または半硬質の特性を備えているので、この音響体感器１の構造自体が、表面側から外部への音響の漏出が生じ難い状態となっている。
【００５１】
なお、上記実施例は、利用者の背中に対して振動を付与するリュックサック型式のものに本願発明を適用したものであるが、以下に示すような型式のものに対しても、同様に本願発明を適用できる。
【００５２】
すなわち、図１３に示すように、音響体感器１を腰ベルト１７を使用して利用者の腰周辺部に装着するポーチ型式のものについて、本願発明を適用するのである。
【００５３】
この場合に使用される音響体感器１は、図９にその外観を示すように、両側縁部が湾曲する長矩形状を呈している。その内部構造は、図１０および図１１に示すように、既述の実施例と基本的に同一である。したがって、図９ないし図１３において、既述の実施例と共通の構成要件については同一符号を付し、その説明を省略する。
【００５４】
そして、この音響体感器１の構成によるにしても、既述の実施例と同様に、低周波領域のみの振動による利用者の心地良さや、ゲームに振動を取り入れたことによる遊戯の斬新さ、さらには二重構造のカバー部材２，７ａにより確実な防音がなされる等の利点が得られることは言うまでもない。
【００５５】
なお、以上の実施例は、家庭用または業務用ゲーム機と音響体感器１とを接続するようにしたものであるが、ゲーム機以外の音響発生手段を備えている装置と音響体感器１とを接続させても、同様の作用効果が得られる。
【図面の簡単な説明】
【図１】本願発明に係る音響体感器の一実施例の制御システムを示す概略構成図である。
【図２】上記一実施例に係る音響体感器の外観斜視図である。
【図３】上記一実施例に係る音響体感器の部品分解配列斜視図である。
【図４】図３のＡ−Ａ線に沿って切断した拡大縦断側面図である。
【図５】図３のＢ−Ｂ線に沿って切断した拡大縦断背面図である。
【図６】上記一実施例に係る音響体感器の身体装着ベルトの他の取り付け例を示す縦断面図であって、図５に対応する図である。
【図７】上記一実施例に係る音響体感器の使用状態を示す概略図である。
【図８】上記一実施例に係る音響体感器の使用状態を示す概略図である。
【図９】本願発明に係る音響体感器の他の実施例を示す外観斜視図である。
【図１０】図９のＣ−Ｃ線に沿って切断した拡大縦断側面図である。
【図１１】図９のＤ−Ｄ線に沿って切断した拡大縦断背面図である。
【図１２】上記他の実施例に係る音響体感器の身体装着ベルトの他の取り付け例を示す縦断面図であって、図１０に対応する図である。
【図１３】上記他の実施例に係る音響体感器の使用状態を示す概略図である。
【符号の説明】
１  音響体感器
２  表側の半割りケース
３ｘ  底面部
４  容器本体
５  画成板
６  スピーカ
７ａ  表側カバー部材
１３    補助空間
２０    ゲーム機本体
２５    ゲーム進行状態制御手段
２９    音響発生手段
ｂ  音響信号
ｂ１    スピーカの駆動信号
Ｆ  低域通過フィルタ（帯域通過フィルタ）
【図１】
0003539761.tif 000002
【図２】
0003539761.tif 000003
【図３】
0003539761.tif 000004
【図４】
0003539761.tif 000005
【図５】
0003539761.tif 000006
【図６】
0003539761.tif 000007
【図７】
0003539761.tif 000008
【図８】
0003539761.tif 000009
【図９】
0003539761.tif 000010
【図１０】
0003539761.tif 000011
【図１１】
0003539761.tif 000012
【図１２】
0003539761.tif 000013
【図１３】
0003539761.tif 000014